(57)【要約】【課題】締付けねじを締付けることにより、ケースの塗装膜を剥離し、締付けねじを介して電気的に導通状態とすることができ、コストダウンを図ることができるマイコンガスメーターを提供する。【解決手段】ガスメーターケース１１を、ガス配管に接続されるガス流入口金１４及びガス流出口金１５を有する上部ケース１２と電子回路部品４２を内蔵したコントローラケース２０を有する下部ケース１３とに分割し、上部ケース１２と下部ケース１３とを締付けねじ２５によって結合して電気的に導通し、電子回路部品を上部ケース１２、下部ケース１３及び締付けねじ２５を介してガス配管と同電位に接続したマイコンガスメーターにおいて、ガスメーターケース１１の表面で、締付けねじ２５の頭部２６が接触する面に凸部２８を設け、締付けねじの締付けによって凸部表面の塗装膜２９が剥離されてガスメーターケースが締付けねじを介して電気的に導通するようにしたことを特徴とする。【選択図】      図３
2007187525.tif 000002
【特許請求の範囲】
【請求項１】
ガスメーターケースを、ガス配管に接続されるガス流入口金及びガス流出口金を有する上部ケースと電子回路部品を内蔵したコントローラケースを有する下部ケースとに分割し、前記上部ケースと下部ケースとを締付けねじによって結合して電気的に導通し、前記電子回路部品を前記上部ケース、下部ケース及び締付けねじを介して前記ガス配管と同電位に接続したマイコンガスメーターにおいて、
前記ガスメーターケースの表面で、前記締付けねじの頭部が接触する面に凸部を設け、前記締付けねじの締付けによって前記凸部表面の塗装膜が剥離されて前記ガスメーターケースが前記締付けねじを介して電気的に導通するようにしたことを特徴とするマイコンガスメーター。
【請求項２】
前記凸部は、前記ガスメーターケースの表面で、前記締付けねじの頭部が接触する面に複数個設けられていることを特徴とする請求項１記載のマイコンガスメーター。
【請求項３】
ガスメーターケースを、ガス配管に接続されるガス流入口金及びガス流出口金を有する上部ケースと電子回路部品を内蔵したコントローラケースを有する下部ケースとに分割し、前記上部ケースと下部ケースとを締付けねじによって結合して電気的に導通し、前記電子回路部品を前記上部ケース、下部ケース及び締付けねじを介して前記ガス配管と同電位に接続したマイコンガスメーターにおいて、
前記締付けねじの頭部で、前記ガスメーターケースに接触する面に引掻き部を設け、前記締付けねじの締付けによって前記引掻き部で前記ガスメーターケースの塗装膜を剥離して前記ガスメーターケースを前記締付けねじを介して電気的に導通するようにしたことを特徴とするマイコンガスメーター。
【発明の詳細な説明】
【技術分野】
【０００１】
この発明は、ガスの異常使用時、地震発生時あるいはガス圧力低下時、その他の緊急時にガスの流通を遮断する双方向遮断弁を備えたマイコンガスメーターに関する。
【背景技術】
【０００２】
ガスメーター本体の内部に遮断弁、地震を感知する感震器及びガス圧力低下を感知する圧力センサ及び制御回路を内蔵し、ガスの異常使用時、地震時あるいはガス圧力低下時等の緊急時に遮断弁としての双方向遮断弁を作動させてガスの流通を遮断するようにしたマイコンガスメーターが知られている（例えば、特許文献１参照。）。
【０００３】
このマイコンガスメーターは、ガスメーター本体の前面にコントローラケースが設けられ、コントローラケースの内部のプリント基板に表示ランプ及び復帰スイッチからなる遮断弁開弁スイッチ機構が設けられている。そして、緊急時にガスメーター本体の内部の双方向遮断弁が閉弁してガス流通口を遮断すると、表示ランプが点滅して双方向遮断弁が遮断されたことを報知するようになっている。また、復帰スイッチをオンすると、電気的に双方向遮断弁を開弁できるようになっており、双方向遮断弁が開弁すると、表示ランプが消灯するようになっている。
【０００４】
前記プリント基板には、圧力センサや双方向遮断弁を制御する各種電子回路部品が実装されており、電子回路部品にノイズが侵入すると、正常な受信、信号処理の妨げになる。そこで、マイコンガスメーターにおいては、プリント基板をガスメーター本体に電気的導通状態とし、このガスメーター本体をガス配管に接続させている。つまり、ガスメーターはガス流入口及びガス流出口を構成する口金を介して金属製のガス配管に接続して据え付けているため、マイコンガスメーターの据え付けによってプリント基板とガス配管が同電位になるようになっている。
【０００５】
ところが、ガスメーターケースは、計量室を形成するとともに、コントローラケースを備えた下部ケースと、ガス流入口及びガス流出口を有する上部ケースとに２分割され、両ケースはパッキングを介して接合した状態で複数本の締付けねじによって結合されている。従って、下部ケースと上部ケースはパッキングによって電気的に絶縁されているが、締付けねじが両ケースに貫通して電気的に導通状態にある。このため、コントローラケースの内部のプリント基板は、締付けねじを介して下部ケースに電気的に導通され、下部ケースは上部ケースと結合するための締付けねじを介して上部ケースに電気的に導通され、上部ケースがガス流入口及びガス流出口を構成する口金を介してガス配管と同電位となる。
【特許文献１】特開２０００−２９２２３７号公報
【発明の開示】
【発明が解決しようとする課題】
【０００６】
しかしながら、ガスメーターケースの下部ケース及び上部ケースは、一般にアルミダイキャストによって成形した後に塗装されている。つまり、下部ケース及び上部ケースは、組立て前に表面が塗装されている。従って、下部ケースと上部ケースとのフランジ部を締付けねじによって結合しても、締付けねじの頭部の下面は塗装膜によって電気的に絶縁されてしまい、締付けねじを介して両ケースを電気的に導通状態とすることはできない。
【０００７】
そこで、従来においては、図５（ａ）（ｂ）に示すように、締付けねじａによって上部ケースｂと下部ケースｃとを結合する際に、上部ケースｂのフランジ部の塗装膜ｄを剥離し、締付けねじａの頭部ｅの下面が上部ケースｂの塗装膜剥離面ｆに接触するようにしている。また、図６（ａ）（ｂ）に示すように、塗装前に、上部ケースｂの締付けねじ挿通孔ｇに、その周辺部を覆うマスキングテープｈを貼り、塗装後に、マスキングテープｈを剥離して、締付けねじａの頭部ｅの下面が上部ケースｂの未塗装面ｉに接触するようにしている。
【０００８】
しかしながら、図５の場合には、塗装膜ｄを剥離する作業が面倒であり、剥離状態が均一にならず、導通のバラツキが生じる。また、図６の場合には、マスキング作業の作業工程が増えるためにコストアップの原因となる。
【０００９】
この発明は、前記事情に着目してなされたもので、その目的とするところは、締付けねじを締付けることにより、ケースの塗装膜を剥離し、締付けねじを介して電気的に導通状態とすることができ、コストダウンを図ることができるマイコンガスメーターを提供することにある。
【課題を解決するための手段】
【００１０】
この発明は、前述した目的を達成するために、請求項１は、ガスメーターケースを、ガス配管に接続されるガス流入口金及びガス流出口金を有する上部ケースと電子回路部品を内蔵したコントローラケースを有する下部ケースとに分割し、前記上部ケースと下部ケースとを締付けねじによって結合して電気的に導通し、前記電子回路部品を前記上部ケース、下部ケース及び締付けねじを介して前記ガス配管と同電位に接続したマイコンガスメーターにおいて、前記ガスメーターケースの表面で、前記締付けねじの頭部が接触する面に凸部を設け、前記締付けねじの締付けによって前記凸部表面の塗装膜が剥離されて前記ガスメーターケースが前記締付けねじを介して電気的に導通するようにしたことを特徴とする。
【００１１】
請求項２は、請求項１の前記凸部は、前記ガスメーターケースの表面で、前記締付けねじの頭部が接触する面に複数個設けられていることを特徴とする。
【００１２】
請求項３は、ガスメーターケースを、ガス配管に接続されるガス流入口金及びガス流出口金を有する上部ケースと電子回路部品を内蔵したコントローラケースを有する下部ケースとに分割し、前記上部ケースと下部ケースとを締付けねじによって結合して電気的に導通し、前記電子回路部品を前記上部ケース、下部ケース及び締付けねじを介して前記ガス配管と同電位に接続したマイコンガスメーターにおいて、前記締付けねじの頭部で、前記ガスメーターケースに接触する面に引掻き部を設け、前記締付けねじの締付けによって前記引掻き部で前記ガスメーターケースの塗装膜を剥離して前記ガスメーターケースを前記締付けねじを介して電気的に導通するようにしたことを特徴とする。
【発明の効果】
【００１３】
この発明によれば、締付けねじを締付けることにより、ケースの塗装膜を剥離し、締付けねじを介して電気的に導通状態とすることができ、コストダウンを図ることができるという効果がある。
【発明を実施するための最良の形態】
【００１４】
以下、この発明の実施の形態を図面に基づいて説明する。
【００１５】
図１〜図３はマイコンガスメーターの第１の実施形態を示し、図１はマイコンガスメーターの正面図、図２は同じく縦断側面図である。ダイキャスト等によって形成され、表面が塗装されたガスメーターケース１１は、上部ケース１２と下部ケース１３とによって２分割されている。上部ケース１２の上部にはガス流入口金１４とガス流出口金１５が設けられ、内部にはクランク機構（図示しない）等を収納する分配室１６が設けられている。下部ケース１３には仕切り壁１３ｂが設けられ、仕切り壁１３ｂの両側にはこれに対向して側板１７が設けられ、前後一対の計量室１８が設けられている。
【００１６】
また、上部ケース１２の前面にはガス流量をデジタル表示するカウンタ部１９が設けられ、下部ケース１３の前面には合成樹脂材料によって成形されたコントローラケース２０が設けられている。コントローラケース２０にはセキュリティ表示部２１が設けられ、このセキュリティ表示部２１の近傍には遮断弁開弁スイッチ機構の押しボタン部２２が設けられている。
【００１７】
次に、上部ケース１２と下部ケース１３との結合構造について説明すると、図３（ａ）（ｂ）に示すように、上部ケース１２の下端部にはフランジ部１２ａが一体に設けられている。下部ケース１３の上端部にはフランジ部１３ａが一体に設けられている。上部ケース１２のフランジ部１２ａには複数のねじ挿通孔２３が穿設され、下部ケース１３のフランジ部１３ａにはねじ挿通孔２３に対応してねじ孔２４が穿設されている。フランジ部１２ａと１３ａとの間には上部ケース１２と下部ケース１３を気密に結合するためにパッキング２４ａが介在されている。ねじ挿通孔２３にはパッキング２４ａを貫通してねじ孔２４に締付けられる締付けねじ２５が設けられ、この締付けねじ２５によって上部ケース１２と下部ケース１３とが結合されている。
【００１８】
さらに、上部ケース１２のフランジ部１２ａの上面で、締付けねじ２５の頭部２６の下面が接触する面２７、つまり、いずれか一つのねじ挿通孔２３の開口縁部には上部に突出する複数個、本実施形態では４個の凸部２８が間隔を存して設けられている。これら凸部２８はガスメーターケース１１をアルミダイキャスト等によって製作すると同時に形成されており、その後、ガスメーターケース１１の表面が塗装されるため、凸部２８の表面にも塗装膜２９が施されている。
しかし、上部ケース１２と下部ケース１３とを結合する組立て工程で、前述したように、ねじ挿通孔２３に締付けねじ２５を挿通してねじ孔２４に締付けると、締付け時に締付けねじ２５の頭部２６の下面が凸部２８の表面を引っ掻くため、凸部２８の塗装膜２９が剥離される。従って、上部ケース１２のアルミダイキャスト地肌が締付けねじ２５の頭部２６と電気的に導通可能な状態となり、上部ケース１２は締付けねじ２５を介して下部ケース１３と電気的に導通可能な状態となる。
【００１９】
なお、締付けねじ２５によって電気的に導通可能に結合する構造は、上部ケース１２と下部ケース１３との結合に限定されるものではなく、下部ケース１３の仕切り壁１３ｂと側板１７とを結合する締付けねじ３０の部分においても適用できる。すなわち、側板１７に設けられたねじ挿通孔３１の開口縁部に凸部２８を設け、ねじ挿通孔３１に締付けねじ３０を挿通してねじ孔３２に締付けると、締付け時に締付けねじ３０の頭部３３の下面が凸部２８の表面を引っ掻くため、凸部２８の塗装膜２９を剥離させることができる。従って、側板１７の地肌が締付けねじ３０の頭部３３と電気的に導通可能な状態となり、側板１７は締付けねじ３０を介して下部ケース１３と電気的に導通可能な状態となる。
【００２０】
合成樹脂製のコントローラケース２０は、ベース３４と、このベース３４に対して固定されたカバー３５とからなり、内部に回路部品収納室３６を構成している。コントローラケース２０のベース３４に対向する側板１７にはねじ孔３７ａを有するボス３７が設けられている。このボス３７に対向するベース３４にはボス３７に嵌合する嵌合部３８を有する取付け台３９が一体に設けられている。ベース３４の取付け台３９にはプリント基板４０が支持され、このプリント基板４０はねじ孔３７ａに螺合される固定ねじ４１によって取付け台３９に固定されている。
【００２１】
この場合、固定ねじ４１の頭部はプリント基板４０の導電膜部４０ａに接合され、プリント基板４０は固定ねじ４１を介して側板１７に電気的に導通可能な状態に固定されている。プリント基板４０には各種電子回路部品４２が実装され、プリント基板４０は、固定ねじ４１→側板１７→締付けねじ３０→下部ケース１３→締付けねじ２５→上部ケース１２を介してガス配管に接続されることになる。
【００２２】
図４は第２の実施形態を示し、（ａ）は締付けねじの締付け前を示す縦断側面図、（ｂ）は締付けねじの締付け後を示す縦断側面図である。本実施形態は、締付けねじ４３の頭部４４の下面には鋭利な爪、鋭利な歯からなる引掻き部４５が設けられている。
【００２３】
この締付けねじ４３を用い、例えば、上部ケース１２と下部ケース１３とを結合する組立て工程に採用した場合、ねじ挿通孔２３に締付けねじ４３を挿通してねじ孔２４に締付けると、締付け時に締付けねじ４３の頭部４４の下面の引掻き部４５が塗装膜２９を引っ掻くため塗装膜２９が剥離される。従って、上部ケース１２の地肌が締付けねじ４３の頭部４４と電気的に導通可能な状態となり、上部ケース１２は締付けねじ４３を介して下部ケース１３と電気的に導通可能な状態となる。従って、第１の実施形態と同様の効果が得られる。
なお、この発明は前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００２４】
【図１】この発明の第１の実施形態を示し、マイコンガスメーターの正面図。
【図２】同実施形態を示し、マイコンガスメーターの縦断側面図。
【図３】同実施形態を示し、（ａ）は締付けねじの締付け前を示す平面図及び縦断側面図、（ｂ）は締付けねじの締付け後を示す縦断側面図。
【図４】この発明の第２の実施形態を示し、（ａ）は締付けねじの締付け前を示す縦断側面図、（ｂ）は締付けねじの締付け後を示す縦断側面図。
【図５】従来例を示し、（ａ）は締付けねじの締付け前を示す平面図及び縦断側面図、（ｂ）は締付けねじの締付け後を示す縦断側面図。
【図６】従来例を示し、（ａ）はマスキング状態の縦断側面図、（ｂ）はマスキングを剥がした状態の縦断側面図。
【符号の説明】
【００２５】
１１…ガスメーターケース、１２…上部ケース、１３…下部ケース、１４…ガス流入口金、１５…ガス流出口金、２０…コントローラケース、２５…締付けねじ、２６…頭部、２８…凸部、２９…塗装膜、４０…プリント基板、４２…電子回路部品
【図１】
2007187525.tif 000003
【図２】
2007187525.tif 000004
【図３】
2007187525.tif 000005
【図４】
2007187525.tif 000006
【図５】
2007187525.tif 000007
【図６】
2007187525.tif 000008